(57)【特許請求の範囲】
【請求項１】
センサを先端に有する突起部を固定し検知信号を出力するセンサ基板と、
このセンサ基板に接続線により接続され前記検知信号を受けて点灯回路を制御する制御信号を出力する主基板と、
前記センサ基板および前記主基板を挿入する開口を有し前記センサ基板が配置される底部を有して前記主基板が前記センサ基板上に配置されるケースカバーと、前記開口を閉じるケース本体とを具備し、前記突起部の先端を挿通させる筒状の蓋部を前記底部に有し、前記センサ基板の縁部に係止するセンサ基板保持用爪、前記主基板の縁部に係止する主基板保持用爪、および前記ケース本体に係止する取付爪をそれぞれ前記ケースカバーに有するセンサブロック用のケースと、
前記ケース本体を内部に取付けて前記ケースカバーの前記蓋部に挿通された前記突起部の先端を露出させる器具開口部を前面に有する器具本体とを備え、
前記ケースカバーの前記底部は略Ｖ字形をなす斜面を有し、前記筒状の蓋部を前記底部の前記略Ｖ字形の折曲部に有し、
前記突起部を固定した前記センサ基板を保持する前記センサ基板保持用爪の基部を前記底部の前記斜面の内側より前記突起部の突出方向と反対方向に傾斜して延出することにより、前記センサ基板保持用爪に係止したセンサ基板の前記突起部に突出方向の樹脂弾性を付与するとともに、前記突起部を前記器具開口部に接触させた照明器具。
【請求項２】
前記蓋部が前記ケースカバーと別体に形成され、前記ケースカバーの前記底部の前記折曲部に前記蓋部を外側から嵌合する角孔が形成され、前記角孔の内側に前記蓋部を受ける受け段を設け、前記蓋部は前記角孔に嵌合して前記受け段に係止する板部と、前記板部の中央に貫通した筒部と、前記板部の両端に形成して前記角孔の縁部に抜け止め係止する爪部を有する請求項１記載の照明器具。
【発明の詳細な説明】
【０００１】
【発明の属する技術分野】
この発明は、照明器具に関するものである。
【０００２】
【従来の技術】
使用頻度の少ない場所等に設置され、通常は省エネルギのため消灯している照明器具として、人体をセンサで検知してランプを自動的に点灯するようにしたものがある。
【０００３】
【発明が解決しようとする課題】
しかし、センサと器具本体との位置関係が一定していないと、検知エリアが変化し、検知エリアが器具ごとにばらつくことがある。例えば同じ場所に複数の照明器具を設置しても、これらがともに点灯すべき位置に人体が存在しているにもかかわらず、一方は点灯し他方はまだ点灯しない状態になることがある。
【０００４】
したがって、この発明の目的は、検知エリアを一定にすることができる照明器具を提供することである。
【０００５】
【課題を解決するための手段】
請求項１記載の照明器具は、センサを先端に有する突起部を固定し検知信号を出力するセンサ基板と、
このセンサ基板に接続線により接続され前記検知信号を受けて点灯回路を制御する制御信号を出力する主基板と、
前記センサ基板および前記主基板を挿入する開口を有し前記センサ基板が配置される底部を有して前記主基板が前記センサ基板上に配置されるケースカバーと、前記開口を閉じるケース本体とを具備し、前記突起部の先端を挿通させる筒状の蓋部を前記底部に有し、前記センサ基板の縁部に係止するセンサ基板保持用爪、前記主基板の縁部に係止する主基板保持用爪、および前記ケース本体に係止する取付爪をそれぞれ前記ケースカバーに有するセンサブロック用のケースと、
前記ケース本体を内部に取付けて前記ケースカバーの前記蓋部に挿通された前記突起部の先端を露出させる器具開口部を前面に有する器具本体とを備え、
前記ケースカバーの前記底部は略Ｖ字形をなす斜面を有し、前記筒状の蓋部を前記底部の前記略Ｖ字形の折曲部に有し、
前記突起部を固定した前記センサ基板を保持する前記センサ基板保持用爪の基部を前記底部の前記斜面の内側より前記突起部の突出方向と反対方向に傾斜して延出することにより、前記センサ基板保持用爪に係止したセンサ基板の前記突起部に突出方向の樹脂弾性を付与するとともに、前記突起部を前記器具開口部に接触させたものである。
【０００６】
請求項１記載の照明器具によれば、センサ基板およびケースを介して突起部が器具本体に固定されるため、突起部と器具本体の位置関係を一定にできるので、突起部にセンサを設けることにより、器具本体に対する検知エリアを一定にすることができる。
前記ケースがケース本体およびケースカバーを有し、前記センサ基板は前記突起部を固定し、前記センサ基板は前記ケースカバーで保持するため、組立容易になるとともに、ケースカバーの突起部を露出する部分とセンサの位置関係を一定にでき、ケース本体とケースカバーの間の隙間やケース本体のたわみの影響を受けない。
前記ケースカバーが各基板を保持する保持用爪を有するため、各基板を取付け容易にできる。
回路基板が突起部を固定するセンサ基板と主基板とに分離されているため、検出信号を出力する基板と、その制御回路を有する基板とを分離することができ、外力を受ける突起部によって主基板が変形等の影響を受けるのを防止することができる。
前記ケースカバーが前記センサ基板を弾性的に保持したため、突起部に外力が加わっても弾性により吸収できるので突起部およびセンサ基板の損傷を防止できこれらを保護することができる。また前記突起部が前記器具開口部に接触したため、器具本体の器具開口部と突起部の位置関係を一定に保つことができ、突起部に設けたセンサの検知エリアをより一層一定に保つことができる。
【００１７】
請求項２記載の照明器具は、請求項１において、前記蓋部が前記ケースカバーと別体に形成され、前記ケースカバーの前記底部の前記折曲部に前記蓋部を外側から嵌合する角孔が形成され、前記角孔の内側に前記蓋部を受ける受け段を設け、前記蓋部は前記角孔に嵌合して前記受け段に係止する板部と、前記板部の中央に貫通した筒部と、前記板部の両端に形成して前記角孔の縁部に抜け止め係止する爪部を有するものである。
【００１８】
請求項２記載の照明器具によれば、請求項１の効果がある。
【００２３】
【発明の実施の形態】
この発明の第１の実施の形態を図１から図４により説明する。すなわち、この照明器具は、天井埋込型であり、器具本体１と、センサブロック２とを有する。
【００２４】
器具本体１は、図２に示すように天井３の埋込穴４に嵌め込まれ、天井裏の取付ボルト５に座金６とナット７により取付けられる。器具本体１には中央の長手方向に沿ってに富士形反射板８が取付けられ、器具本体１の両端にランプソケット９が取付けられ、反射板８の前側でランプソケット９に直管形のランプ１０が装着される。また反射板８の裏面側に安定器１１およびセンサブロック２が取付けられる。センサブロック２に対応して図１に示すように反射板８の断面山形の頂部に凹曲面１２が形成され、その底部に貫通孔１３が形成されている。１４は電源線である。
【００２５】
センサブロック２は、図３および図４に示すように、ケース１５とセンサ１６を有する。ケース１５はケース本体１７と、ケースカバー１８からなる。ケース本体１７は底浅の箱形であり、ケースカバー１８は断面略Ｖ字形である。ケースカバー１８は開口縁のほぼ四隅の位置にケース本体１７の係止受け（図示せず）に係止する取付爪２０を突設している。また開口縁の中央の内側より一対の主基板保持用爪１９を突出し、ケースカバー１８の中央より外方に円筒状の蓋部２１を一体に突出し、ケースカバー１８の蓋部２１の裏面側に一対のセンサ基板保持用爪２２を突出している。２３は出力線挿通部である。
【００２６】
センサ１６は、主基板２４と可撓な接続線２５で接続されたセンサ基板２６とを有し、センサ基板２６に突起部２７を取付け固定し、突起部２７の先端にセンサ１６を設けている。センサ１６はその検知信号を主基板２４に送り、主基板２４では検知信号により照明器具のランプ１０を点灯制御するものである。突起部２７を図４に示すように蓋部２１に通し、センサ基板２６の前面をケースカバー１８の内面に当接した状態で、センサ基板２６の側縁にセンサ基板保持用爪２２が係止し、保持状態となる。さらに主基板２４を主基板保持用爪１９に引っ掛け、図４（ｂ）に示すようにケース本体１７に取付爪２０でケースカバー１８を取付ける。図４に示すように突起部２７はその先端が筒部よりも若干突出している。
【００２７】
このセンサブロック２のケース本体１７を器具本体１に取付け、反射板８を器具本体１に取付けると、図１に示すよう反射板８の凹曲面１２の貫通孔１３に突起部２７が貫通しセンサ１６が器具の外部に露出することとなる。この場合、センサ１６を反射板８の貫通孔１３の裏側縁部に当接してもよい。
【００２８】
この実施の形態によれば、回路基板２４、２６およびケース１５を介して突起部２７が器具本体１に取付けられるため、突起部２７と器具本体１の位置関係を一定にできるので、突起部２７にセンサ１６を設けることにより、器具本体１に対する検知エリアを一定にすることができる。とくに、センサ基板２６をケースカバー１８に保持するため、ケースカバー１８の蓋部２１の開口部とセンサ１６の位置関係を一定に保つことができ、センサ１６の突出量を一定に保ち、ケース本体１７とケースカバー１８間の隙間やケース本体１７のたわみの影響を受けない。したがって、ケース本体１７、および器具本体１を介して反射板８の貫通孔１３との関係も一定にでき、センサ１６の検知エリアを一定にできることとなる。また主基板２４をケースカバー１８に仮保持可能としたため、組立容易になる。
【００２９】
センサ１６の検出信号を出力するセンサ基板２６と、その制御回路を有する主基板２４とを分離することにより、外力を受ける突起部２７によって主基板２４が変形等の影響を受けるのを防止できる。
【００３０】
この発明の第２の実施の形態を図５に示す。すなわち、第１の実施の形態のセンサ基板保持用爪２２を、ケースカバー１８の略Ｖ字形をなす斜面より突起部２７の突出方向に対して例えば略４５度の傾斜姿勢に突出して、センサ基板保持用爪２２の樹脂弾性により突起部２７の突出方向に対して弾性を付与するようにしたものである。
【００３１】
図５（ｂ）に示すように、反射板８の貫通孔１３の口縁に突起部２７の先端のセンサ１６の周縁が当接するようにしている。その他は第１の実施の形態と同様である。
【００３２】
この実施の形態によれば、センサ基板２６が弾性体を構成するセンサ基板保持用爪２２により保持されているため、蓋部２１より突出している寸法分ケース内側方向に移動することができるので、センサ１６に外力が加わった場合にセンサ１６は内側に移動しケースカバー１８内に入り込むと、その後外力はケースカバー１８で受けるのでセンサ１６を外力から保護することができ、センサ基板２６の保護にもなる。
【００３３】
この発明の第３の実施の形態を図６に示す。すなわち、第１の実施の形態におけるセンサ基板保持用爪２２に代えて、ケース本体１７に主基板２４を貫通する例えば筒状の一対の支持体３３に例えばコイルばねを用いたばね３４を設け、センサ基板２６に設けたガイド３５をばね３４に貫通して支持体３３に挿入し、支持体３３に所定範囲移動可能に取付けたものである。したがって、突起部２７のセンサ１６の先端部を反射板８の貫通孔１３の縁部に弾性係止することができ、また外力が突起部２７に加わっても第２の実施の形態と同様にセンサ１６を蓋部２１の先端まで後退することができる。なお支持体３３をセンサ基板２６をばね３４で連結してガイド３５を省略してもよい。
【００３４】
器具開口部となる貫通孔１３の裏面縁部とセンサ１６を接触させることにより、両者の位置関係を一定に保つことができるので、一定の検知エリアをより一層確保することができる。またセンサ１６が外力によって押されるときセンサ１６を開口部まで可動することができるので、センサ１６およびセンサ基板２６を保護することができる。
【００３５】
この発明の第４の実施の形態を図７および図８に示す。すなわち、第１の実施の形態において、蓋部２１がケースカバー１８と別体に形成されたものである。この場合、ケースカバー１８の中央には角孔３７が形成され、保持用爪２２の基部に蓋部２１を受ける受け段３８を設けている。蓋部２１は角孔３７に嵌合可能な板部３９と板部３９の中央に貫通した筒部４０と、板部３９の両端に形成した爪部４１からなる。
【００３６】
蓋部２１の板部３９をケースカバー１８の表側から角孔３７に挿入し受け段３８に係止すると同時に爪部４１が角孔３７の縁部に係止して固定される。その他は、第１の実施の形態と同様である。
【００３７】
この発明の第５の実施の形態を図９に示す。すなわち、第２の実施の形態において、蓋部２１が第４の実施の形態と同様にケースカバー１８と別体に形成されたものである。３８′は角孔３７の縁部に設けた受け段であり、受け段３８と同じ機能を有する。４０は蓋部２１からセンサ１６の突出量であり、センサ可動範囲である。
【００３８】
この発明の第６の実施の形態を図１０に示す。すなわち、第３の実施の形態において、蓋部２１が第４および第５の実施の形態と同様にケースカバー１８と別体に形成されたものである。
【００３９】
なお、この発明において、突起部２７の先端にセンサ１６を設けているが、突起部２７をセンサで構成してもよい。
【００４０】
【発明の効果】
請求項１記載の照明器具によれば、センサ基板およびケースを介して突起部が器具本体に固定されるため、突起部と器具本体の位置関係を一定にできるので、突起部にセンサを設けることにより、器具本体に対する検知エリアを一定にすることができる。
前記ケースがケース本体およびケースカバーを有し、前記センサ基板は前記突起部を固定し、前記センサ基板は前記ケースカバーで保持するため、組立容易になるとともに、ケースカバーの突起部を露出する部分とセンサの位置関係を一定にでき、ケース本体とケースカバーの間の隙間やケース本体のたわみの影響を受けない。
前記ケースカバーが各基板を保持する保持用爪を有するため、各基板を取付け容易にできる。
回路基板が突起部を固定するセンサ基板と主基板とに分離されているため、検出信号を出力する基板と、その制御回路を有する基板とを分離することができ、外力を受ける突起部によって主基板が変形等の影響を受けるのを防止することができる。
前記ケースカバーが前記センサ基板を弾性的に保持したため、突起部に外力が加わっても弾性により吸収できるので突起部およびセンサ基板の損傷を防止できこれらを保護することができる。また前記突起部が前記器具開口部に接触したため、器具本体の器具開口部と突起部の位置関係を一定に保つことができ、突起部に設けたセンサの検知エリアをより一層一定に保つことができる。
【００４６】
請求項２記載の照明器具によれば、請求項１の効果と同様である。
【図面の簡単な説明】
【図１】この発明の第１の実施の形態の一部を拡大した図の付いた斜視図である。
【図２】照明器具の分解斜視図である。
【図３】センサブロックの分解斜視図である。
【図４】（ａ）はケース本体とケースカバーを分離した断面図、（ｂ）はケース本体にケースカバーを結合した断面図である。
【図５】第２の実施の形態のセンサブロックを示し、（ａ）は断面図、（ｂ）は反射板に当接した状態の断面図である。
【図６】第３の実施の形態のセンサブロックを示し、（ａ）は断面図、（ｂ）はセンサの先端を反射板に当接した状態の断面図である。
【図７】第４の実施の形態のセンサブロックの分解斜視図である。
【図８】（ａ）はケース本体とケースカバーを分離し、部分拡大図の付いた断面図、（ｂ）はケース本体にケースカバーを結合した状態の断面図である。
【図９】第５の実施の形態のセンサブロックを示し、（ａ）は断面図、（ｂ）は反射板に当接した状態の断面図である。
【図１０】第６の実施の形態のセンサブロックを示し、（ａ）は断面図、（ｂ）はセンサの先端を反射板に当接した状態の断面図である。
【符号の説明】
１    器具本体
１３    器具開口部を形成する貫通孔
１５    ケース
１６    センサ
１７    ケース本体
１８    ケースカバー
１９    主基板保持用爪
２２    センサ基板保持用爪
２４    回路基板を構成する主基板
２６    回路基板を構成するセンサ基板
２７    突起部
【図１】
0004066592.tif 000002
【図２】
0004066592.tif 000003
【図３】
0004066592.tif 000004
【図４】
0004066592.tif 000005
【図５】
0004066592.tif 000006
【図６】
0004066592.tif 000007
【図７】
0004066592.tif 000008
【図８】
0004066592.tif 000009
【図９】
0004066592.tif 000010
【図１０】
0004066592.tif 000011